(57)【特許請求の範囲】
【請求項１】
架台（１）が内部を連通したパイプ材（１ａ）で構成され、搭載された送風機（１１）と散布装置（９）との間の送風通路が、前記架台（１）を構成する前記パイプ材（１ａ）によって連通させられ、前記架台（１）の適宜の複数箇所に送風取り出し口が予め設けられていることを特徴とする乗用管理機。
【請求項２】
逆止弁と調圧弁とを配設せしめて前記架台（１）の内部をサージタンクとすることを特徴とする請求項１に記載の乗用管理機。
【発明の詳細な説明】
【０００１】
【発明の属する技術分野】
本発明は、水田や畑の作物に薬液、肥料等の散布を行うための乗用管理機に関する。
【０００２】
【従来の技術】
従来、水田や畑の作物に薬液、肥料等の散布を行う一方法として乗用管理機が使用されている。
【０００３】
該乗用管理機は、三輪あるいは四輪式の走行自在車に構成されており、機体を構成する架台上面に運転席が設けられるとともに、薬液散布用の場合には、前記架台上に薬液タンク、エンジン、ポンプ、送風機及び噴射ノズル等からなる散布装置等が搭載される。
【０００４】
そして、具体的には走行及び作業中における機体のバランス及び動力伝達機構等を考慮して、例えば、運転席が前記架台上面の略中央に設けられ、前記エンジン、ポンプ及び送風機が前記架台上面の後方に、前記散布装置が前記架台上面の前方にそれぞれバランスを保った状態で設けられる。なお、前記噴射ノズル等からなる散布装置は、薬液を散布する水田や畑の作物の高さ等に合わせて上下動自在に構成されている。
【０００５】
そしてさらに、前記薬液散布の場合には、前記散布装置の噴射ノズルから散布される薬液が、水田や畑の作物にのみ有効に散布され、必要以上に拡散しないように前記噴射ノズルの前後両側に配置した吐風口に前記送風機から空気を送り、エアーカーテンを形成せしめることが行なわれている。
【０００６】
【発明が解決しようとする課題】
しかしながら、前記構成の場合には、送風機と散布装置間にパイプあるいは可撓管等からなる送風通路を別途に構成しなければならない。しかし、前記散布装置で必要とされる空気量を考慮すると、前記パイプあるいは可撓管等をかなりの太径に構成しなければならず、しかも、該パイプあるいは可撓管等を機体に沿わせるなどして設ける必要があった。
【０００７】
すなわち、機体を構成する架台と別に、前記送風機と散布装置間を連通するパイプあるいは可撓管を設けなければならないため構造が複雑となり、機体の重量も増加するという問題があった。
【０００８】
さらに、乗用管理機による薬液散布作業では、水田や畑の作物の間をすり抜けるようにして走行させる必要があり、しかも、作物を観察しながら散布作業が行なえるように機体をできる限り巾の狭い構成とすることが望まれている。
【０００９】
本発明は、前記事情に鑑みてなされたもので、機体を構成する架台をパイプ材で構成して該架台を送風管として利用することにより、構造の簡素化と機体の軽量化を図り、しかも強度的にも優れた乗用管理機を提供することを目的とする。
【００１０】
【課題を解決するための手段】
前記課題を解決するため、本願発明は、架台が内部を連通したパイプ材で構成され、搭載された送風機と散布装置との間の送風通路が、前記架台を構成する前記パイプ材によって連通させられ、前記架台の適宜の複数箇所に送風取り出し口が予め設けられている構成としたものである（請求項１）。さらに、逆止弁と調圧弁とを配設せしめて前記架台の内部をサージタンクとすることもできる（請求項２）。
【００１１】
【発明の実施の形態】
以下に、本発明の実施の一形態を図面に基づいて説明する。図１は本発明に係る乗用管理機の一例の全体斜視図、図２は架台及び送風装置部の斜視図、図３は図２の平面図、図４は図３のＩＶーＩＶ矢視断面図、図５は運転席部に設けるカバーの一例を示す斜視図である。
【００１２】
図１に示された乗用管理機は、薬液散布用であり、機体を構成する矩形断面形状の鋼管材等よりなる架台１の前方の下面の中央に水平面内で回動自在に設けられた支持部材２に前輪３が軸支されるとともに、前記架台１の後方の下方の左右両側に設けられた動力伝達装置を内蔵した支持部材４、４に駆動式後輪５、５がそれぞれ軸支され、水田内等を走行自在な最低地上高０．７ｍ程度の、いわゆるハイクリアランス三輪式に構成されている。なお、図示してはいないが、四輪式に構成してもよい。
【００１３】
さらに、前記架台１上面の略中央に運転席６及びハンドル７が設けられる。
【００１４】
さらに、前記運転席６の後方の前記架台１上面には、散布する薬液を収納する薬液タンク８、該薬液タンク８に収納された薬液を後述する散布装置９に供給するポンプ１０、送風機１１及び走行用及び送風機駆動用のガソリンエンジン１２が搭載される。
【００１５】
そして、前記架台１の前方には、前記薬液タンク８から供給される薬液を散布する散布装置９が設けられている。
【００１６】
該散布装置９は、その詳細を図示していないが、走行方向に直交する左右方向に展張あるいは折畳み自在に設けられ、その下面部に噴射ノズル１３が適当間隔をあけて設けられるとともに、該複数の噴射ノズル１３の前後両側に前記送風機１１からの空気の吐風口（図示せず）が設けられ、前記噴射ノズル１３の両側にエアーカーテンが構成されるようになっている。
【００１７】
さらに、前記散布装置９は、前記架台１の側面に一端が軸支された平行リンク式リフトアーム１４、１４によって支持され、該リフトアーム１４、１４によって水田や畑の作物の高さに合わせて上下動して地上高調節自在に構成されている。図中、１５は前記架台１の側面に設けた足掛け用のステップである。
【００１８】
前記のごとく、乗用管理機の機体を構成する架台１上面の略中央に前記運転席６、後方に前記ポンプ１０、送風機１１及びエンジン１２、前方に前記散布装置９を設けた構成としたのは、乗用管理機の走行及び作業中における機体のバランス及び動力伝達機構等を考慮したためである。
【００１９】
前記構成においては、前記送風機１１と前記散布装置９との間に送風通路を設ける必要がある。そこで、本発明では、前記架台１が内部を連通したパイプ材１ａで構成される。その一具体例が、図１乃至図４に示されている。
【００２０】
すなわち、前記送風機１１のボリュートケースの吐風口１１ａが直接、その設置位置の架台１のパイプ材１ａに連結されて、送風ロスを低減せしめるとともに、該架台１の前方上面の送風取り出し口に、一端１６ａが前記散布装置９に連結される可撓管１６の他端１６ｂが連結される。
【００２１】
さらに、前記架台１の内部には、前記送風機１１の吐風口１１ａから供給されたエアーが、前記可撓管１６、さらには散布装置９に効率よく流れるように必要に応じて前記パイプ材１ａ内の適位置に閉塞板１７、１８が設けられる。なお、該閉塞板１７、１８は、図面実施の形態で示された位置に限定されるものではない。
【００２２】
図５には、前記運転席６部の架台１を覆うカバー２０が示されている。該カバー２０は、プラスチック等の断熱材でコ字形に形成され、前記運転席６部の架台１部に適宜の断熱空隙を存して取付けられる。前記カバー２０は、前記架台１内に供給されるエアーが圧縮状態で熱を持つことになるため、特に夏場作業において運転者をその熱さから保護するために設けられる。
【００２３】
なお、前記架台１のパイプ材１ａの内面は、十分に耐食処理を施しておくことが望ましく、また、前記送風機１１の吐風口１１ａ部には適宜の逆止弁を、前記可撓管１６の他端１６ｂ部には、調圧弁を配設せしめて前記架台１の内部をサージタンクとしても良い。
【００２４】
また、前記架台１の適宜の複数個所に送風取り出し口を予め設けておくと、各種作業への対応性が高められ、一層好適である。
【００２５】
前記構成の本発明の一実施態様では、前記エンジン１２の駆動によって前記送風機１１から供給されるエアーが、前記送風機１１の吐風口１１ａから前記架台１内の送風通路を通って可撓管１６を介して散布装置９に供給される。そして、該散布装置９の噴射ノズル１３から散布される薬液の前後両側部にエアーカーテンを形成する。
【００２６】
前記のごとく、機体を構成する架台１を、内部を連通したパイプ材１ａで構成し、該架台１を送風機１１と散布装置９間の送風通路として利用するため、従来のように送風機から散布装置に空気を供給するための特別のパイプあるいは可撓管を設ける必要がない。したがって、構造が簡単で軽量化が図られ、さらにパイプ材の使用により架台の強度の向上も図られる。
【００２７】
【発明の効果】
本発明によれば、構造の簡素化と機体の軽量化が図れるとともに、さらに機体強度の向上を図ることができる。
【図面の簡単な説明】
【図１】本発明の一実施形態に係る乗用管理機の全体斜視図である。
【図２】架台及び送風装置部の斜視図である。
【図３】図２の平面図である。
【図４】図３のＩＶーＩＶ矢視断面図である。
【図５】運転席部に設けるカバーの一例を示す斜視図である。
【符号の説明】
１    架台
１ａ  パイプ材
９    散布装置
１１  送風機
【図１】
0003713325.tif 000002
【図２】
0003713325.tif 000003
【図３】
0003713325.tif 000004
【図４】
0003713325.tif 000005
【図５】
0003713325.tif 000006